(57)【要約】【課題】セキュリティーを向上できる印刷システムを提供する。【解決手段】印刷システム１は、印刷装置２と、印刷装置２に印刷データＰＤを送信可能な外部端未３とを有する。印刷装置２は、外部端未３から送信された印刷データＰＤと、印刷データＰＤの暗証番号ＰＷとを記憶する記憶部１７と、印刷データＰＤを指定する操作パネル１５の入力部３１と、入力部３１によって印刷データＰＤが指定されると、指定された印刷データＰＤを送信した外部端未３に警告を通知する警告通知部２５とを有する。外部端未３は、画像を表示する端未表示部３７と、警告通知を受信すると、警告画面を端未表示部３７に表示する警告画面表示部４７とを有する。【選択図】図１
2011150474.tif 000002
【特許請求の範囲】
【請求項１】
印刷装置と、前記印刷装置に印刷データを送信可能な外部端未とを有する印刷システムにおいて、
前記印刷装置は、
前記外部端未から送信された印刷データと、前記印刷データの暗証番号とを記憶する記憶手段と、
前記印刷データを指定する指定手段と、
前記指定手段によって印刷データが指定されると、指定された印刷データを送信した外部端未に警告を通知する警告通知手段とを有し、
前記外部端未は、
画像を表示する端未表示手段と、
前記警告通知を受信すると、警告画面を前記端未表示手段に表示する警告画面表示手段とを有することを特徴とする印刷システム。
【請求項２】
前記警告画面表示手段は、前記警告通知を受信すると暗証番号入力画面表示の拒否要求を入力するための拒否入力画面を前記端未表示手段に表示することを特徴とする請求項１に記載の印刷システム。
【請求項３】
前記外部端未は、前記警告画面表示手段による警告画面の表示時間が閾値時間を越えると、暗証番号入力画面の表示を要求する入力画面表示要求手段を更に有することを特徴とする請求項１または請求項２に記載の印刷システム。
【請求項４】
前記印刷装置は、暗証番号入力画面の表示を拒否するロック状態にするためのロック手段を更に有することを特徴とする請求項１〜請求項３の何れか１項に記載の印刷システム。
【請求項５】
前記外部端未は、前記印刷装置に暗証番号入力画面の表示を要求する入力画面表示要求部を更に有することを特徴とする請求項１〜請求項４の何れか１項に記載の印刷システム。
【発明の詳細な説明】
【技術分野】
【０００１】
本発明は、印刷データに暗証番号を設定可能な印刷システムに関する。
【背景技術】
【０００２】
特許文献１には、画像データを記憶する画像記憶手段と、画像を記憶させたユーザを特定するユーザＩＤ入力手段と、パスワード（暗証番号）を入力するためのパスワード入力手段と、ユーザＩＤに登録されたネットワークアドレスに警告通知を送信するユーザ認証管理手段とを備える画像処理装置が開示されている。
【０００３】
特許文献１の技術では、正規ユーザがパスワード入力手段によって正しいパスワードを入力すると、画像記憶手段に記憶された画像データに基づいて画像が印刷される。一方、不正ユーザが、所定回数以上、異なるパスワードをパスワード入力手段によって入力すると、ユーザ認証管理手段が正規ユーザに警告通知を行う。これにより、正規ユーザは、不正ユーザにより暗証番号が入力されていることを知ることができる。この結果、正規ユーザは、不正ユーザによる印刷を阻止して、自己の画像データのセキュリティーをある程度確保できる。
【先行技術文献】
【特許文献】
【０００４】
【特許文献１】特開２００６−２２８００６号公報
【発明の概要】
【発明が解決しようとする課題】
【０００５】
しかしながら、特許文献１の技術では、不正ユーザはパスワードを入力することが可能なため、セキュリティーが低いといった課題がある。具体的には、不正ユーザがパスワードを知っている場合や、偶然、不正ユーザの入力したパスワードが記憶されているパスワードと一致した場合等は、不正ユーザが画像を印刷してしまう。
【０００６】
本発明は、上述した課題を解決するために創案されたものであり、セキュリティーを向上できる印刷システムを提供することを目的としている。
【課題を解決するための手段】
【０００７】
上記目的を達成するために、本発明に係る印刷システムの第１の特徴は、印刷装置と、前記印刷装置に印刷データを送信可能な外部端未とを有する印刷システムにおいて、前記印刷装置は、前記外部端未から送信された印刷データと、前記印刷データの暗証番号とを記憶する記憶手段と、前記印刷データを指定する指定手段と、前記指定手段によって印刷データが指定されると、指定された印刷データを送信した外部端未に警告を通知する警告通知手段とを有し、前記外部端未は、画像を表示する端未表示手段と、前記警告通知を受信すると、警告画面を前記端未表示手段に表示する警告画面表示手段とを有する。
【０００８】
また、本発明に係る印刷システムの第２の特徴は、前記警告画面表示手段は、前記警告通知を受信すると暗証番号入力画面表示の拒否要求を入力するための拒否入力画面を前記端未表示手段に表示する。
【０００９】
また、本発明に係る印刷システムの第３の特徴は、前記外部端未は、前記警告画面表示手段による警告画面の表示時間が閾値時間を越えると、暗証番号入力画面の表示を要求する入力画面表示要求手段を更に有する。
【００１０】
また、本発明に係る印刷システムの第４の特徴は、前記印刷装置は、暗証番号入力画面の表示を拒否するロック状態にするためのロック手段を更に有する。
【００１１】
また、本発明に係る印刷システムの第５の特徴は、前記外部端未は、前記印刷装置に暗証番号入力画面の表示を要求する入力画面表示要求部を更に有する。
【００１２】
また、本発明に係る印刷装置の第１の特徴は、印刷データを送信可能な外部端未と接続される印刷装置において、前記印刷装置は、前記外部端未から送信された印刷データと、前記印刷データの暗証番号とを記憶する記憶手段と、前記印刷データを指定する指定手段と、前記指定手段によって印刷データが指定されると、指定された印刷データを送信した外部端未に警告を通知する警告通知手段とを有する。
【００１３】
また、本発明に係る外部端未の第１の特徴は、印刷装置に印刷データを送信可能な外部端未において、前記外部端未は、画像を表示する端未表示手段と、前記印刷装置から印刷データが指定されたことを警告する警告通知を受信すると、警告画面を前記端未表示手段に表示する警告画面表示手段とを有する。
【発明の効果】
【００１４】
印刷システムの第１の特徴によれば、印刷データが指定されると、印刷装置の警告通知手段は、その印刷データを送信した外部端未に警告を通知する。そして、外部端未の警告画面表示手段は、その警告通知を受信すると、端未表示手段に警告画面を表示する。これにより、ユーザはその警告画面を見て、暗証番号が入力される前に印刷データが指定されたことを知ることができる。この結果、ユーザは印刷データの印刷が実行されることを防ぐことができるので、印刷システムは印刷データのセキュリティーを向上させることができる。
【００１５】
印刷システムの第２の特徴によれば、警告画面表示手段は、警告通知を受信すると、暗証番号入力画面の表示を拒否することができる拒否入力画面を端未表示手段に表示する。これにより、ユーザは、外部端未によって、暗証番号の入力を防ぐことができる。この結果、ユーザは、印刷データの印刷を防ぐことができる。
【００１６】
印刷システムの第３の特徴によれば、閾値時間が経過すると、許可拒否要求部が暗証番号入力画面の表示を要求する。これにより、印刷装置が暗証番号入力画面を表示できるので、ユーザは、外部端未にて暗証番号入力画面の許可を忘れても、印刷装置にて暗証番号を入力できる。
【００１７】
印刷システムの第４の特徴によれば、印刷データをロック状態にするロック手段が印刷装置に設けられている。これにより、ユーザは、セキュリティーを向上させるために、外部端未を介すことなく、印刷装置によって印刷データをロック状態にできる。
【００１８】
印刷システムの第５の特徴によれば、外部端未が暗証番号入力画面の表示を要求するための入力画面表示要求部を有する。これにより、ユーザは、外部端未を介して、暗証番号入力画面を印刷装置に表示させることができる。
【００１９】
印刷装置の第１の特徴によれば、印刷データが指定されると、その印刷データを送信した外部端未に警告を通知する警告通知手段を備えている。これにより、印刷装置の第１の特徴は、印刷データが指定されたことを外部端未に警告することができるので、印刷データのセキュリティーを向上させることができる。
【００２０】
外部端未の第１の特徴によれば、印刷装置からの警告通知に対応して、警告画面を表示する警告画面表示手段を備えている。これにより、ユーザは、警告画面を見ることによって、印刷データが指定されたことを知ることができる。この結果、ユーザは、迅速に対応することができるので、印刷データのセキュリティーを向上させることができる。
【図面の簡単な説明】
【００２１】
【図１】第１実施形態による印刷システムの全体構成図である。
【図２】暗証番号入力画面を説明する図である。
【図３】確認待ち画面を説明する図である。
【図４】暗証番号入力拒否画面を説明する図である。
【図５】ロック指示画面を説明する図である。
【図６】許可要求画面を説明する図である。
【図７】警告画面を説明する図である。
【図８】印刷装置における待機印刷処理のフローチャート図である。
【図９】外部端未における待機印刷処理のフローチャート図である。
【図１０】印刷システムの待機印刷処理について説明するシーケンス図である。
【発明を実施するための形態】
【００２２】
＜第１実施形態＞
以下、図面を参照して、本発明の第１実施形態による印刷システムについて説明する。
図１は、印刷装置を詳細に図示した、第１実施形態による印刷システムの全体構成図である。図２は、暗証番号入力画面を説明する図である。図３は、確認待ち画面を説明する図である。図４は、暗証番号入力拒否画面を説明する図である。図５は、ロック指示画面を説明する図である。図６は、許可要求画面を説明する図である。図７は、警告画面を説明する図である。
【００２３】
図１に示すように、第１実施形態による印刷システム１は、印刷装置２と、外部端未３と、ネットワーク４とを備えている。
【００２４】
印刷装置２は、外部端未３等から送信された印刷データＰＤに基づいて、画像を印刷するものである。図１に示すように、印刷装置２は、印刷制御装置１１と、印刷部１２と、タイマ１３と、通信処理部１４と、操作パネル１５とを備えている。
【００２５】
印刷制御装置１１は、印刷装置２の制御全般を司るものである。印刷制御装置１１は、演算処理部１６と、記憶部１７と、バス１８と、入出力インターフェース１９とを備えている。
【００２６】
演算処理部１６は、種々のプログラムを実行するＣＰＵ(Central Processing Unit)を有する。演算処理部１６は、後述する記憶部１７に記憶された待機印刷処理プログラム３０を読み込み、実行する。これにより、演算処理部１６は、図１に示すように、待機印刷保存部２１と、入力画面表示部２２と、暗証番号判定部２３と、印刷実行部２４と、警告通知部２５と、拒否画面表示部２６と、ロック部２７とを有する。
【００２７】
待機印刷保存部２１は、外部端未３から待機印刷を要求されると、外部端未３から入力された印刷データＰＤと、外部端未情報ＴＤと、暗証番号ＰＷと、ロック情報ＲＤとを含む待機印刷データＷＰＤを記憶部１７に記憶する。
【００２８】
入力画面表示部２２は、指定された印刷データＰＤがロック情報ＲＤに基づいてロック状態か否かを判定するとともに、図２に示す暗証番号入力画面が要求されているか否かを判定する。そして、入力画面表示部２２は、その判定結果に基づいて、図２に示す暗証番号入力画面の表示するか否かを判定する。具体的には、入力画面表示部２２は、ロック状態でない印刷データＰＤが指定されると、図２に示す暗証番号入力画面を操作パネル１５に表示する。また、入力画面表示部２２は、ロック状態の印刷データＰＤが指定された場合でも、外部端未３から暗証番号入力画面表示の許可要求を受信すると、図２に示す暗証番号入力画面を操作パネル１５に表示する。
【００２９】
暗証番号判定部２３は、図２に示す暗証番号入力画面が表示されている間に、操作パネル１５を介して入力された暗証番号ＰＷが待機印刷データＷＰＤの暗証番号ＰＷと一致するか否かを判定する。
【００３０】
印刷実行部２４は、暗証番号判定部２３によって暗証番号ＰＷが一致したと判定されると、待機印刷データＷＰＤの印刷データＰＤに基づいて、印刷を実行する。
【００３１】
警告通知部２５は、待機印刷データＷＰＤの印刷データＰＤがユーザによって指定され、且つ、その印刷データＰＤの暗証番号入力画面表示が要求されていないと入力画面表示部２２によって判定されている場合、待機印刷データＷＰＤの外部端未情報ＴＤからその印刷データＰＤを送信した外部端未３を特定する。そして、警告通知部２５は、特定した外部端未３に警告通知を送信する。また、警告通知部２５は、図３に示す確認待ち画面を操作パネル１５に表示する。
【００３２】
拒否画面表示部２６は、外部端未３から拒否要求を受信すると、暗証番号の入力画面を拒否する図４に示す暗証番号入力拒否画面を操作パネル１５に表示する。
【００３３】
ロック部２７は、図２に示す暗証番号入力画面の表示をロックするための図５に示すロック入力画面を操作パネル１５に表示する。そして、ユーザが「ロック」を選択すると、該当する待機印刷データＷＰＤをロック状態に設定する。尚、ロック状態とは、印刷データＰＤの暗証番号ＰＷの入力に許可が必要な状態のことである。
【００３４】
記憶部１７は、各情報を一時的に記憶するＲＡＭ(Random Access Memory)と、基本プログラム、待機印刷処理プログラム３０等のプログラムや種々の情報を記憶するＲＯＭ(Read Only Memory)と、印刷データＰＤ、暗証番号ＰＷ、及び、外部端未情報ＴＤを含む待機印刷データＷＰＤ等の種々の情報を記憶するＣＦ(Compact Flash)カードとを有する。
【００３５】
バス１８は、演算処理部１６と、記憶部１７と、入出力インターフェース１９とを、信号を送受信可能に接続する。
【００３６】
入出力インターフェース１９は、印刷部１２、タイマ１３、通信処理部１４及び操作パネル１５と、印刷制御装置１１とを信号を送受信可能に接続する。
【００３７】
印刷部１２は、印刷用紙を搬送しつつ、画像を印刷用紙に印刷する。
【００３８】
タイマ１３は、現在の時刻を印刷制御装置１１に送信する。
【００３９】
通信処理部１４は、印刷制御装置１１をネットワーク４に接続する。これにより、印刷制御装置１１は、外部端未３等の外部機器と信号を送受信可能となる。
【００４０】
操作パネル１５は、ユーザが種々の指示や情報を入力するための入力部（請求項の指定手段に相当）３１と、種々の情報を表示する表示部３２とを備えている。入力部３１は、タッチパネル及びキーボードを有する。ユーザは、入力部３１によって、暗証番号ＰＷを入力するとともに、印刷させる印刷データＰＤを指定する。表示部３２は、液晶表示装置を有する。表示部３２は、図２〜図５に示す画像等の種々の画像を表示する。
【００４１】
外部端未３は、印刷データＰＤを含む待機印刷データＷＰＤを印刷装置２に送信するためのものである。外部端未３は、パーソナルコンピュータを有する。図１に示すように、外部端未３は、端未制御装置３５と、通信処理部３６と、端未表示部３７と、端未入力部３８とを備えている。
【００４２】
端未制御装置３５は、端未演算処理部４１と、端未記憶部４２と、バス４３と、入出力インターフェース４４とを備えている。
【００４３】
端未演算処理部４１は、種々のプログラムを実行するＣＰＵを有する。図１に示すように、端未演算処理部４１は、端未記憶部４２に記憶されたプリンタドライバプログラム４９を読み込み、実行する。これにより、端未演算処理部４１は、待機印刷要求部４５と、入力画面表示要求部４６と、警告画面表示部４７と、入力画面拒否要求部４８とを有する。
【００４４】
待機印刷要求部４５は、ユーザからの待機印刷指示に従って、印刷装置２に待機印刷を要求する。待機印刷要求部４５は、待機印刷を要求する際に、印刷データＰＤ、暗証番号ＰＷ及び外部端未情報ＴＤを含む待機印刷データＷＰＤを印刷装置２に送信する。
【００４５】
入力画面表示要求部４６は、図６に示す許可要求画面を介して入力されたユーザの指示に従って、図２に示す暗証番号入力画面の表示を印刷装置２に要求する。入力画面表示要求部４６は、図７に示す警告画面を介して入力されたユーザの許可指示に従って、図２に示す暗証番号入力画面の表示の許可を印刷装置２に要求する。入力画面表示要求部４６は、警告画面の表示時間が閾値時間ＴｈＴを越えると、印刷装置２に暗証番号入力画面の表示の許可要求を送信する。
【００４６】
警告画面表示部４７は、印刷装置２からの警告通知を受信すると、図７に示す警告画面を端未表示部３７に表示する。警告画面は、印刷データＰＤが指定されたことの警告を含む。また、警告画面は、暗証番号入力画面表示の許可要求及び拒否要求を入力するための許可拒否入力画面（請求項の拒否入力画面に相当）を含む。尚、警告画面が表示された初期状態では、拒否ボタンは、許可ボタンよりも大きく表示されるとともに、選択状態となっている。また、警告画面は、暗証番号入力画面が自動的に表示されるまでの時間（タイムアウトまでの時間）の表示も含む。
【００４７】
入力画面拒否要求部４８は、図７に示す警告画面を介して入力されたユーザの拒否指示に従って、図２に示す暗証番号入力画面の表示の拒否を印刷装置２に要求する。
【００４８】
端未記憶部４２は、各情報を一時的に記憶するＲＡＭと、基本プログラム等を記憶するＲＯＭと、待機印刷データや印刷データ等の各種データやＯＳ（Operating System）やプリンタドライバプログラム４９等のプログラムや閾値時間ＴｈＴ等の情報を記憶するＨＤＤ(Hard Disk Drive)とを有する。
【００４９】
バス４３及び入出力インターフェース４４は、印刷装置２のバス１８及び入出力インターフェース１９と同様の構成のため説明を省略する。また、通信処理部３６は、印刷装置２の通信処理部１４と同様の構成のため説明を省略する。
【００５０】
端未表示部３７は、図６及び図７に示す画像等の種々の画像を表示する。端未表示部３７は、液晶表示装置からなる。
【００５１】
端未入力部３８は、ユーザが種々の指示や情報を入力するためのものである。端未入力部３８は、キーボート及びマウスを有する。
【００５２】
ネットワーク４は、印刷装置２と外部端未３とを信号を送受信可能に接続する。
【００５３】
（第１実施形態の動作）
次に、上述した第１実施形態による印刷システム１における待機印刷処理について説明する。図８は、印刷装置における待機印刷処理のフローチャート図である。図９は、外部端未における待機印刷処理のフローチャート図である。図１０は、印刷システムの待機印刷処理ついて説明するシーケンス図である。尚、図８において、「Ｓｔ」の後の番号は、外部端未におけるステップ番号を示す。図９において、「Ｓｐ」の後の番号は、印刷装置におけるステップ番号を示す。図１０において、「Ｓｅ」の後の番号は、印刷システムにおけるステップ番号を示す。
【００５４】
待機印刷処理では、まず、図８及び図９に示すように、印刷装置２の待機印刷保存部２１が外部端未３からの待機印刷要求待ちとなるとともに（Ｓｐ１）、外部端未３の待機印刷要求部４５がユーザからの待機印刷指示の入力待ちとなる（Ｓｔ１）。
【００５５】
次に、図９及び図１０に示すように、ユーザが、外部端未３の端未入力部３８を介して、待機印刷指示を入力すると（Ｓｅ１）、待機印刷要求部４５は、待機印刷指示が入力されたと判定する（Ｓｔ１：Ｙｅｓ）。そして、待機印刷要求部４５は、印刷装置２に待機印刷要求とともに、印刷データＰＤ、外部端未情報ＴＤ、暗証番号ＰＷ及びロック情報ＲＤを含む待機印刷データＷＰＤを送信する（Ｓｔ２、Ｓｅ２）。
【００５６】
一方、図８及び図１０に示すように、印刷装置２の待機印刷保存部２１は、外部端未３から待機印刷要求を受信すると（Ｓｐ１：Ｙｅｓ）、待機印刷要求とともに受信する印刷データＰＤ、外部端未情報ＴＤ、暗証番号ＰＷ及びロック情報ＲＤを含む待機印刷データＷＰＤを記憶部１７に保存する（Ｓｐ２、Ｓｅ３）。
【００５７】
以下、待機印刷を指示したユーザ（以下、正規ユーザ）が待機印刷を実行する場合と、正規ユーザ以外のユーザ（以下、不正ユーザ）による待機印刷を正規ユーザが阻止する場合に分けて説明する。
【００５８】
先に、正規ユーザによる待機印刷の実行について説明する。まず、正規ユーザは、待機印刷を実行する場合、入力画面表示要求部４６によって表示された図６に示す許可要求画面を介して、暗証番号入力許可指示を入力する。これにより、外部端未３の入力画面表示要求部４６は、暗証番号入力許可指示が入力されたと判定して（Ｓｔ３：Ｙｅｓ）、印刷装置２に暗証番号の入力画面表示要求を送信する（Ｓｔ４）。
【００５９】
一方、印刷装置２では、入力画面表示部２２は、待機印刷保存処理の後、印刷データＰＤが指定されるまで、待機状態となる（Ｓｐ３）。次に、入力画面表示部２２は、正規ユーザが操作パネル１５の入力部３１を介して印刷データＰＤを指定したと判定すると（Ｓｐ３：Ｙｅｓ）、指定された印刷データＰＤがロック状態か否かを判定する（Ｓｐ４）。
【００６０】
ここで、入力画面表示部２２がロック状態でないと判定した場合（Ｓｐ４：Ｙｅｓ）、ステップＳｐ５が実行される。
【００６１】
一方、入力画面表示部２２は、ロック状態と判定した場合（Ｓｐ４：Ｎｏ）、ステップＳｐ６が実行される。ここで、上述したように外部端未３が暗証番号の入力画面表示要求を印刷装置２に送信している場合（Ｓｔ４）、入力画面表示部２２は、暗証番号入力画面表示が要求されていると判定して（Ｓｐ６：Ｙｅｓ）、ステップＳｐ５が実行される。
【００６２】
次に、入力画面表示部２２は、図２に示す暗証番号入力画面を操作パネル１５の表示部３２に表示する（Ｓｐ５）。
【００６３】
次に、正規ユーザが、操作パネル１５の入力部３１を操作して、図２に示す暗証番号入力画面に正規の暗証番号ＰＷを入力すると、暗証番号判定部２３は、正規の暗証番号ＰＷが入力されたと判定する（Ｓｐ７：Ｙｅｓ）。そして、印刷実行部２４が印刷部１２を制御して、指定された印刷データＰＤの印刷を実行する（Ｓｐ８）。これにより、待機印刷処理が終了する。
【００６４】
次に、不正ユーザによる待機印刷の実行を阻止する場合について説明する。尚、不正ユーザが指定する印刷データＰＤは、正規ユーザの指示によってロック状態であるとする。
【００６５】
まず、不正ユーザが、印刷装置２の操作パネル１５の入力部３１を介して、他人（正規ユーザ）の印刷データＰＤを指定する（Ｓｅ４）。これにより、図８に示すように、入力画面表示部２２は、印刷データＰＤが指定されたと判定する（Ｓｐ３：Ｙｅｓ）。次に、入力画面表示部２２は、指定された印刷データＰＤがロック状態であると判定した後（Ｓｐ４：Ｙｅｓ）、暗証番号入力画面表示が要求されているか否かを判定する（Ｓｐ６）。不正ユーザが待機印刷を実行する場合、当然、正規ユーザは暗証番号入力画面表示を要求しない。これにより、入力画面表示部２２は、暗証番号入力画面表示が要求されていないと判定する（Ｓｐ６：Ｎｏ）。
【００６６】
次に、警告通知部２５は、指定された印刷データＰＤの待機印刷データＷＰＤの外部端未情報ＴＤから、その待機印刷データＷＰＤを送信した外部端未３を特定する（Ｓｐ９、Ｓｅ５）。
【００６７】
次に、警告通知部２５は、特定した外部端未３に印刷データＰＤが指定されたと警告を通知するとともに（Ｓｐ１０、Ｓｅ６）、図３に示す確認待ち画面を操作パネル１５の表示部３２に表示する（Ｓｐ１１）。これにより、印刷装置２は、外部端未３からの拒否要求または許可要求の待機状態となる。
【００６８】
一方、図９に示すように、外部端未３では、暗証番号入力許可が入力されていない状態で（Ｓｔ３：Ｎｏ）、警告画面表示部４７が警告通知を受信したと判定すると（Ｓｔ５：Ｙｅｓ）、図７に示す警告画面を表示する（Ｓｔ６、Ｓｅ７）。
【００６９】
次に、正規ユーザが、暗証番号入力画面表示の拒否を指示するために（Ｓｅ８）、図７に示す警告画面の「拒否」ボタンを選択して実行すると、入力画面拒否要求部４８は、拒否が入力されたと判定して（Ｓｔ７：Ｙｅｓ）、印刷装置２へと暗証番号入力画面表示の拒否要求を送信する（Ｓｔ８、Ｓｅ９）。
【００７０】
印刷装置２では、拒否画面表示部２６が、拒否要求を受信したと判定すると（Ｓｐ１２：Ｙｅｓ）、図４に示す暗証番号入力拒否画面を操作パネル１５の表示部３２に表示する（Ｓｐ１３、Ｓｅ１０）。これにより、不正ユーザは暗証番号を入力できず、指定した印刷データＰＤの印刷も実行できない。
【００７１】
この後、ステップＳｐ３に戻り、入力画面表示部２２が、印刷データＰＤの待機待ちとなる。
【００７２】
尚、警告画面が表示されている状態で、正規ユーザが「許可」ボタンを選択して実行した場合、入力画面表示要求部４６は、許可指示が入力されたと判定して（Ｓｔ９：Ｙｅｓ）、ステップＳｔ４を実行する。これにより、印刷装置２では、入力画面表示部２２が、許可が要求されたと判定して（Ｓｐ１４：Ｙｅｓ）、図２に示す暗証番号入力画面を表示する。これにより、正規ユーザは、他のユーザに待機印刷の印刷を依頼して、実行させることができる。尚、不正ユーザの外部端未の送信元アドレス、ユーザ名等の情報を取得し、それを警告画面に表示することで、正規ユーザは、印刷を実行させるか否かを決めるようにしてもよい。ここで、不正ユーザの情報を得る方法として次の方法を上げることができる。ユーザが印刷装置２を操作する際に、印刷装置２をユーザＩＤの入力が必要な構成とする。そして、印刷装置２がユーザＩＤとユーザ名とを関連付けたユーザ情報を記憶部１７に記憶することにより、不正ユーザのユーザ名を特定できる。更には、外部端未３から印刷装置２を操作する際に、印刷装置２をユーザＩＤの受信が必要な構成とする。そして、印刷装置２が、ユーザＩＤと外部端未の送信元アドレスとを関連付けたユーザ情報を記憶部１７に記憶することにより、不正ユーザの外部端未の送信元アドレスを特定できる。
【００７３】
また、入力画面表示要求部４６は、拒否指示及び許可指示が入力される前に、タイマ１３からの時刻に基づいて、図７に示す警告画面の表示時間が端未記憶部４２に記憶された閾値時間ＴｈＴを越えたと判定した場合（Ｓｔ１０：Ｙｅｓ）、ステップＳｔ４を実行する。これにより、印刷装置２では、入力画面表示部２２が、許可が要求されたと判定して（Ｓｐ１４：Ｙｅｓ）、図２に示す暗証番号入力画面を表示する。尚、警告画面の表示時間が閾値時間ＴｈＴを越えていない場合は、入力画面拒否要求部４８は、ステップＳｔ７に戻って実行する。
【００７４】
この後、正規ユーザによって待機印刷データＷＰＤの印刷データＰＤが実行されると待機印刷処理は終了する。
【００７５】
（第１実施形態の効果）
上述したように第１実施形態による印刷システム１では、不正ユーザが正規ユーザの印刷データＰＤを指定すると、印刷装置２の警告通知部２５が、印刷データＰＤを送信した正規ユーザの外部端未３に警告通知を送信する。そして、外部端未３の警告画面表示部４７は、印刷データＰＤが指定されたことを警告画面によって端未表示部３７に表示する。これにより、正規ユーザは、暗証番号ＰＷが入力される前に、印刷データＰＤが指定されたことを知ることができるので、印刷データＰＤの印刷が実行されることを未然に防ぐことが容易にできる。この結果、印刷システム１は、セキュリティーを向上させることができる。
【００７６】
印刷システム１では、外部端未３の警告画面表示部４７は警告通知を受信すると、暗証番号入力画面の表示の拒否を入力可能な警告画面を端未表示部３７に表示する。これにより、正規ユーザは、外部端未３の端未入力部３８を介して、暗証番号入力画面の表示を拒否できる。この結果、正規ユーザは、容易に印刷データＰＤの印刷を防ぐことができる。
【００７７】
印刷システム１では、警告画面を表示してから閾値時間経過後、外部端未３の許可拒否要求部４８が、暗証番号入力画面の表示を印刷装置２に要求する。これにより、印刷装置２の入力画面表示部２２は、暗証番号入力画面を表示する。この結果、正規ユーザは、外部端未３によって暗証番号入力画面表示の指示を忘れても、印刷データＰＤの印刷を実行できる。
【００７８】
印刷システム１では、印刷装置２が暗証番号の入力を拒否するためのロック部２７を備えている。これにより、正規ユーザは、印刷装置２においても、セキュリティーを向上させるために、印刷データＰＤをロック状態にすることができる。
【００７９】
印刷システム１では、外部端未３が暗証番号入力画面の表示を要求するための入力画面表示要求部４６を有する。これにより、ユーザは、外部端未３を介して、暗証番号入力画面を表示させることができる。
【００８０】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００８１】
上述した実施形態の各構成は適宜変更可能である。また、上述した実施形態における各処理は、適宜変更可能である。
【００８２】
また、上述した実施形態の各画面表示は、適宜変更可能である。具体的には、図７に示す警告画面において、暗証番号入力画面の表示を許可するための許可ボタン及び拒否するための拒否ボタンを表示したが、拒否ボタンのみを表示してもよい。また、端未入力部のキーボード及びマウス等によって、いかなる入力があっても拒否を要求するように構成してもよい。更に、図３に示す確認待ち画面の代わりに、暗証番号入力画面を表示してもよい。ただし、この場合、不正ユーザによって暗証番号が入力されても、正規ユーザからの許可要求を受信するまで、印刷が実行されないように印刷装置は構成される。
【００８３】
また、上述の実施形態では、不正ユーザが印刷装置にて印刷データを指定してから所定時間後に自動で図２に示す暗証番号入力画面を表示するように印刷装置を構成した。しかし、所定時間後に図４に示す暗証番号入力拒否画面を表示するように印刷装置を構成してもよい。これにより、セキュリティーを向上させることができる。更に、ユーザが、所定時間経過後に暗証番号入力画面を表示させるか、暗証番号入力拒否画面を表示させるかを選択できるように印刷装置を構成してもよい。これにより、ユーザが使いやすさを希望する場合は、所定時間後に自動で暗証番号入力画面を表示するように設定できる。一方、ユーザがセキュリティーの向上を希望する場合は、所定時間後に自動で暗証番号入力拒否画面を表示するように設定できる。この結果、印刷装置はユーザの希望に柔軟に対応できる。
【００８４】
また、不正ユーザが、印刷データを指定した後、所定時間経過しても、再度印刷データを指定しない場合は、不正ユーザが諦めたとして、印刷装置が自動で暗証番号入力画面を表示するように構成してもよい。更に、不正ユーザが、所定時間以上の間隔を空けずに印刷データを何度も指定している間は、暗証番号入力拒否画面の表示を継続して、不正ユーザが所定時間以上の間、印刷データを指定しなくなると、自動で暗証番号入力画面を表示するように、印刷装置を構成してもよい。
【符号の説明】
【００８５】
１     印刷システム
２     印刷装置
３     外部端未
４     ネットワーク
１１   印刷制御装置
１２   印刷部
１３   タイマ
１４   通信処理部
１５   操作パネル
１６   演算処理部
１７   記憶部
１８   バス
１９   入出力インターフェース
２１   待機印刷保存部
２２   入力画面表示部
２３   暗証番号判定部
２４   印刷実行部
２５   警告通知部
２６   拒否画面表示部
２７   ロック部
３０   待機印刷処理プログラム
３１   入力部
３２   表示部
３５   端未制御装置
３６   通信処理部
３７   端未表示部
３８   端未入力部
４１   端未演算処理部
４２   端未記憶部
４３   バス
４４   入出力インターフェース
４５   待機印刷要求部
４６   入力画面表示要求部
４７   警告画面表示部
４８   入力画面拒否要求部
４９   プリンタドライバプログラム
ＰＤ   印刷データ
ＰＷ   暗証番号
ＴＤ   外部端未情報
ＴｈＴ 閾値時間
ＷＰＤ 待機印刷データ
【図１】
2011150474.tif 000003
【図２】
2011150474.tif 000004
【図３】
2011150474.tif 000005
【図４】
2011150474.tif 000006
【図５】
2011150474.tif 000007
【図６】
2011150474.tif 000008
【図７】
2011150474.tif 000009
【図８】
2011150474.tif 000010
【図９】
2011150474.tif 000011
【図１０】
2011150474.tif 000012